(57)【要約】【課題】ルーバーのばねによる応力を分散し、ばねを引掛ける構造の破損を防ぐ天井埋込形換気扇において、ルーバーのばねにより発生する応力により、ばね引掛け部分の破損する可能性があった。【解決手段】線材で形成され中央部に円形状に巻いた巻回部を有し両側に脚部を形成されたばねと、巻回部と係合する取付部を有するルーバーと、脚部の開き弾性力を利用してルーバーと係合する係合部を有する換気扇本体と、を備えた天井埋込形換気扇であって、取付部は、ルーバーの表面から換気扇本体側に突出する２つの基部と、基部の先端から他の基部の先端に向けて延設された引掛け部と、２つの引掛け部にて形成され巻回部を通過させるための隙間と、２つの基部と引掛け部とルーバーの表面とで形成され隙間を通過させた巻回部を回動するための回動空間とを備え、回動空間は、ルーバーの表面側に比して引掛け部側の幅が狭い幅狭構造を備えた天井埋込形換気扇とする。【選択図】図５
2019039641.tif 000002
【特許請求の範囲】
【請求項１】
線材で形成され中央部に円形状に巻いた巻回部を有し両側に脚部を形成されたばねと、
前記巻回部と係合する取付部を有するルーバーと、
前記脚部の開き弾性力を利用して前記ルーバーと係合する係合部を有する換気扇本体と、を備えた天井埋込形換気扇であって、
前記取付部は、
前記ルーバーの表面から前記換気扇本体側に突出する２つの基部と、
前記基部の先端から他の基部の先端に向けて延設された引掛け部と、
２つの前記引掛け部にて形成され前記巻回部を通過させるための隙間と、
前記２つの基部と前記引掛け部と前記ルーバーの表面とで形成され前記隙間を通過させた前記巻回部を回動するための回動空間とを備え、
前記回動空間は、
前記ルーバーの表面側に比して前記引掛け部側の幅が狭い幅狭構造を備えた天井埋込形換気扇。
【請求項２】
前記幅狭構造は、
前記基部の先端側に前記他の基部の先端に向かう曲部を備えた請求項１に記載の天井埋込形換気扇。
【請求項３】
前記幅狭構造は、
前記基部における前記ルーバーの表面側から前記引掛け部に向かうにつれて前記他の基部側に傾斜する傾斜部を備えた請求項１記載の天井埋込形換気扇。
【請求項４】
前記巻回部は、
前記線材を同径かつ同心円状に隣接させて複数回巻きまわして形成され、
前記巻回部の前記隣接方向の幅は、
前記隙間の幅と１つの前記引掛け部の長さとの和よりも大きい請求項１から３のいずれかに記載の天井埋込形換気扇。
【請求項５】
前記引掛け部は、
前記回動空間側の面が前記回動空間側に膨出する円弧形状を備えた請求項１から４のいずれかに記載の天井埋込形換気扇。
【請求項６】
前記隙間は、
前記換気扇本体側に向けて漸次幅広に形成された請求項１から５のいずれかに記載の天井埋込形換気扇。
【請求項７】
前記隙間は、
前記ルーバーの表面側端部の幅が前記線材の径よりも小さい請求項１から６のいずれかに記載の天井埋込形換気扇。
【発明の詳細な説明】
【技術分野】
【０００１】
本発明は、天井埋込形換気扇に関するものである。
【背景技術】
【０００２】
従来、天井埋込形換気扇では、ばねの巻回部をルーバーの引掛け部に係合させ、ばねの両端を天井埋込形換気扇本体に係合させる。これによりばねがルーバーを本体側に引っ張ることでルーバーを天井に密着させていた。
【０００３】
以下、その天井埋込形換気扇について図９を参照しながら説明する。
【０００４】
図９に示す従来の天井埋込形換気扇１０１は、ルーバー１０２の引掛け部１０３に嵌合したばね１０４の両端を、係合部１０５に引掛けることで、本体方向１０６にルーバー１０２を引っ張り、ルーバー１０２を天井１０７に密着させていた。
【先行技術文献】
【特許文献】
【０００５】
【特許文献１】特開２０００−２８３５４０号公報
【発明の概要】
【発明が解決しようとする課題】
【０００６】
このような従来の天井埋込形換気扇１０１においては、引掛け部１０３にばねの引っ張りによる応力が集中しやすく、経年劣化により損壊する可能性があった。
【０００７】
そこで本発明は、上記従来の課題を解決するものであり、引掛け部１０３に加わる応力を確実に分散し、引掛け部１０３の損壊を防止することができる天井埋込形換気扇を提供することを目的とする。
【課題を解決するための手段】
【０００８】
この目的を達成するために、本発明に係る天井埋込形換気扇は、線材で形成され中央部に円形状に巻いた巻回部を有し両側に脚部を形成されたばねと、前記巻回部と係合する取付部を有するルーバーと、前記脚部の開き弾性力を利用して前記ルーバーと係合する係合部を有する換気扇本体と、を備えた天井埋込形換気扇であって、前記取付部は、前記ルーバーの表面から前記換気扇本体側に突出する２つの基部と、前記基部の先端から他の基部の先端に向けて延設された引掛け部と、２つの前記引掛け部にて形成され前記巻回部を通過させるための隙間と、前記２つの基部と前記引掛け部と前記ルーバーの表面とで形成され前記隙間を通過させた前記巻回部を回動するための回動空間とを備え、前記回動空間は、前記ルーバーの表面側に比して前記引掛け部側の幅が狭い幅狭構造を備えているものであり、これにより所期の目的を達成するものである。
【発明の効果】
【０００９】
本発明によれば、ばねにより引掛け部が大きな力で換気扇本体側に引っ張られた場合でも、引掛け部が損壊しにくい天井埋込形換気扇を提供することができる。
【図面の簡単な説明】
【００１０】
【図１】本発明に係る換気扇の断面図
【図２】本発明に係るルーバーの全体図
【図３】本発明に係る引掛け部の拡大図
【図４】本発明に係るばねの全体図
【図５】本発明に係るばねが取付いていない取付部周辺の拡大断面図（Ａ断面）
【図６】本発明に係るばねの変形時の図
【図７】本発明に係る取付部周辺の拡大断面図
【図８】本発明に係るばねが取付いていない取付部周辺の拡大断面図（Ｂ断面）
【図９】従来の換気扇の断面図
【発明を実施するための形態】
【００１１】
以下、本発明の実施の形態について図面を参照しながら説明する。なお、以下の実施の形態は、本発明を具体化した一例であって、本発明の技術的範囲を限定するものではない。
【００１２】
（実施の形態１）
図１に示すように、天井埋込形換気扇１は、本体２と、ルーバー３とを備える。ルーバー３は、本体２との間に天井４を位置させた状態で。後述のばね６により本体２に係止される。
【００１３】
本体２は、中空箱型形状であり、天井４の上方に配置される。本体２は、例えば吸込口２５を天井４の上面に位置させ、吹出口２６を側方に向けて配置される。本体２は、内部にモーターと羽根とからなる送風部を備えており、羽根を回転させることで吸込口２５から吹出口２６方向への気流を発生させる。本体２は、羽根側から吸込口２５方向に向けて突出する係合部５を備えている。
【００１４】
図２に示すように、ルーバー３は、矩形の板形状を有しており、中央部に矩形の開口２７を備えている。ルーバー３は、下面は化粧パネルとして室内空間に向けられ、上面は裏面として本体２に対向させて配置される。ルーバー３を本体２に係止した際には、開口２７が本体２の吸込口２５と対向して位置することで、室内空間から吹出口２６に至る風路が形成される。
【００１５】
ルーバー３は、ばね６とばね６を取り付けるための取付部７とを備えている。
【００１６】
取付部７は、図３に示すように、矩形の開口２７を構成する、対向する２つの辺の中央近傍に１つずつ設けられる。
【００１７】
ばね６は、図４に示すように、一本の線材で形成される。ばね６は、略中央部に円形状に巻いた巻回部８と、両側に脚部９とを備えている。脚部９は、図４に示した側面視において、巻回部８の同一点から左右方向に延設して設けられ、それぞれの脚部９の中央近傍に、巻回部８と同一方向に膨出する膨出部３７を備えている。
【００１８】
ばね６は、外力が加わらない状態では、図４に示すように、脚部９と巻回部８とが略一直線上に位置する。本体２は、脚部９との係合部５を備えており、脚部９を外力により近接させて係合部５を通過させた後、外力を解除することでばね６の弾性によりばね６が本体２に引き寄せられる。この際、ばね６の巻回部８は、ルーバー３の取付部７に係止されているため、ルーバー３と本体２とが、ばね６の弾性力により天井４を挟んで係止される。
【００１９】
図５は、図２におけるＡ−Ａ断面図の一部である。図５に示すように取付部７は、ルーバー３の表面２８（裏面）から本体２側に突出する２つの基部１０（基部１０Ｌ及び基部１０Ｒ）と、基部１０の先端から他の基部１０の先端に向けて延設された引掛け部１１（引掛け部１１Ｌ及び引掛け部１１Ｒ）とを備える。また、取付部７は、２つの引掛け部１１にて形成され巻回部８を通過させるための隙間１２と、２つの基部１０と引掛け部１１とルーバー３の表面とで形成され隙間１２を通過させた巻回部８を回動するための回動空間１３とを備えている。
【００２０】
上記構造において、ばね６をルーバー３に取付け、ルーバー３を天井４に密着させるまでの操作を説明する。
【００２１】
ルーバー３の２つの隙間１２にそれぞれ一つずつばね６の巻回部８を押し込み、回動空間１３内に巻回部８を配置する。ルーバー３は樹脂で成形されており、樹脂の弾性力を利用し、巻回部８を押し込む際に隙間１２の幅が広がり、押し込み終わると幅が元に戻るようになっている。
【００２２】
隙間１２は、本体２側に向けて漸次幅広に形成されている。このため、巻回部８を押し込み始めるときには隙間１２の幅が広くなるので、漸次幅広でない場合に比べて小さな力で巻回部８を通すことができる。また、隙間１２は、ルーバー３の表面側端部の幅が線材の径よりも小さい。これにより、ばね６が回動空間１３に係合した後、回動空間１３内を自由に動いても、隙間１２を通ることがなく、つまり巻回部８の抜けを抑制することができる。
【００２３】
上記の状態においてばね６を取付部７に係合させる際には、図６に示すように脚部９の両端部を手でつかみ、巻回部８を回転中心として脚部９同士を近接させる方向２１にばね６を変形させる。変形させたとき、ばね６には開き弾性力２０が働く。このように変形させた状態で、本体２に備えられた係合部５に脚部９を差し込む。差し込んだ後、手を離すと開き弾性力２０により脚部９は開き、弾性力の働く方向に変形し、その結果、巻回部８が本体方向に引っ張られる。そのため、巻回部８と係合している引掛け部１１も本体方向に引っ張られ、ルーバー３は天井４に密着する。
【００２４】
ルーバー３が天井４に密着したとき、引掛け部１１には継続して本体方向に引っ張る力が加わる。従って、引掛け部１１には常時応力が発生することになり、破損の原因となる。このとき、回動空間１３は、ルーバー３の表面側の幅３２に比して引掛け部１１側の幅３３が狭い幅狭構造となっている。このため、本体の方向２１に引っ張られた巻回部８は狭い幅の空間、つまり引掛け部１１側の端部に配置され、所望の位置に配置することができる。例えば、巻回部８が２つの引掛け部１１両方に均等な面積で触れるように配置することで、片持ち構造の場合よりも、応力を分散することができ、破損を抑制することができる。ここで片持ち構造とは、一方の引掛け部１１（例えば引掛け部１１Ｌ）のみに巻回部８が位置し、すなわち上述した全ての応力が一方の引掛け部１１に掛かることを言う。
【００２５】
この幅狭構造の実現手段として、たとえば、基部１０の先端側に他の基部１０の先端に向かう曲部３４を備えた構成や、基部１０におけるルーバー３の表面側から引掛け部１１に向かうにつれて他の基部１０側に傾斜する傾斜部３５を備えた構成が考えられる。
【００２６】
また、図７に示すように、巻回部８について、線材を同径かつ同心円状に隣接させて複数回巻きまわして形成し、巻回部８の隣接方向の幅３０は、隙間１２の幅２９と１つの引掛け部１１の長さ３６の和３１よりも大きいという構成にしてもよい。これにより、天井４に密着しているとき、巻回部８は確実に２つの引掛け部１１に接触し、１つの引掛け部１１に加わる応力を減らすことができる。
【００２７】
また、図７におけるＢ−Ｂ断面を矢印２２の方向から見た図の一部を図８に示す。図８に示すように、引掛け部１１の形状は、引掛け部１１の回動空間１３側の面が回動空間１３側に膨出する円弧形状になるように構成してもよい。これにより、巻回部８の内周１５が引掛け部１１に接触するとき、引掛け部１１が平面形状である場合に比べて、接触面積が大きくなる。すなわち、引掛け部１１に加わる応力をさらに減らすことができる。
【００２８】
（実施の形態の概要）
本発明に係る天井埋込形換気扇は、線材で形成され中央部に円形状に巻いた巻回部を有し両側に脚部を形成されたばねと、前記巻回部と係合する取付部を有するルーバーと、前記脚部の開き弾性力を利用して前記ルーバーと係合する係合部を有する換気扇本体と、を備えた天井埋込形換気扇であって、前記取付部は、前記ルーバーの表面から前記換気扇本体側に突出する２つの基部と、前記基部の先端から他の基部の先端に向けて延設された引掛け部と、２つの前記引掛け部にて形成され前記巻回部を通過させるための隙間と、前記２つの基部と前記引掛け部と前記ルーバーの表面とで形成され前記隙間を通過させた前記巻回部を回動するための回動空間とを備え、前記回動空間は、前記ルーバーの表面側に比して前記引掛け部側の幅が狭い、という構成を有する。
【００２９】
この構造により、ばねの巻回部をルーバーの取付部に係合させて、ばねの脚部を換気扇本体に係合させると、ばねの弾性力によりルーバーは換気扇本体方向に引き寄せられる。言い換えると、ばねの開き弾性力により取付部に換気扇本体方向への力が加わったとき、取付部の基部先端は引掛け部となっているので、ばねの巻回部と引掛け部が接触し、換気扇本体方向への力が引掛け部に加わる。このとき、回動空間の引掛け部側の幅はルーバー表面側の幅に比して狭い、という構造を有するため、巻回部の位置を所望の位置にすることが容易になる。
【００３０】
これにより、ばねにより引掛け部に加わる応力を分散させることができる、という効果を奏する。
【００３１】
また、前記基部の先端側に前記他の基部の先端に向かう曲部を備えた、という構成にしてもよい。
【００３２】
これにより、ルーバーと換気扇本体をばねにより係合させると、巻回部がばねの開き弾性力によりルーバーは換気扇本体方向に引き寄せられる。このとき、基部の先端側に他の基部の先端に向かう曲部を備えている、という構造を有するため、巻回部の位置を所望の位置にすることが容易になる。これにより２つの引掛け部両方に巻回部を接触させることができて、ばねにより引掛け部に加わる応力を分散させることができる、という効果を奏する。
【００３３】
また、前記基部における前記ルーバーの表面側から前記引掛け部に向かうにつれて前記他の基部側に傾斜する傾斜部を備えた、という構成にしてもよい。
【００３４】
ルーバーと換気扇本体をばねにより係合させると、巻回部がばねの開き弾性力によりルーバーは換気扇本体方向に引き寄せられる。このとき、基部におけるルーバーの表面側から引掛け部に向かうにつれて他の基部側に傾斜する傾斜部を備えている、という構造を有するため、巻回部の位置を所望の位置にすることが容易になる。これにより２つの引掛け部両方に巻回部を接触させることができて、ばねにより引掛け部に加わる応力を分散させることができる、という効果を奏する。
【００３５】
また、前記ばねは、前記線材を同径かつ同心円状に隣接させて複数回巻きまわして形成され、前記巻回部の前記隣接方向の幅は、前記隙間の幅と１つの前記引掛け部の長さとの和よりも大きい、という構成にしてもよい。
【００３６】
これにより、ルーバーと換気扇本体をばねにより係合させて、巻回部がばねの開き弾性力によりルーバーは換気扇本体方向に引き寄せたとき、回動空間にある巻回部の幅は隙間と１つの引掛け部との長さの和よりも大きいので、巻回部は確実に２つの引掛け部に接触することになるため、ばねにより引掛け部に加わる応力を分散させることができる、という効果を奏する。
【００３７】
また、前記引掛け部は、前記回動空間側の面が前記回動空間側に膨出する円弧形状を備えた、という構成にしてもよい。
【００３８】
これにより、ルーバーと換気扇本体をばねにより係合させて、巻回部がばねの開き弾性力によりルーバーは換気扇本体方向に引き寄せたとき、巻回部の内周が回動空間側に膨出した円弧形状の引掛け部と接触する。このとき、引掛け部がその他の形状である場合に比べて巻回部の内周との接触面積が大きくなるので、引掛け部に加わる応力を分散させることができる、という効果を奏する。
【００３９】
また、前記隙間は、前記換気扇本体側に向けて漸次幅広に形成された、という構成にしてもよい。
【００４０】
これにより、隙間を通し、巻回部を回動空間側に係合させるとき、漸次幅広でない場合に比べて小さな力で通すことができる。
【００４１】
また、前記隙間は、前記ルーバーの表面側端部の幅が前記線材の径よりも小さい、という構成にしてもよい。
【００４２】
これにより、巻回部を回動空間側に係合させたとき、巻回部が隙間に接触しても、巻回部の幅が隙間の幅よりも大きくなるので、隙間から巻回部が抜けることはない、という効果を奏する。
【産業上の利用可能性】
【００４３】
本発明にかかる内容は、樹脂部品で嵌合をしているものに応用可能なため、エアコンやパソコンなど樹脂で筐体をなしているもの全般に応用が考えられる。
【符号の説明】
【００４４】
１，１０１    天井埋込形換気扇
２    本体
３，１０２    ルーバー
４，１０７    天井
５，１０５    係合部
６，１０４    ばね
７    取付部
８    巻回部
９    脚部
１０，１０Ｌ，１０Ｒ    基部
１１，１１Ｌ，１１Ｒ，１０３    引掛け部
１２    隙間
１３    回動空間
２０    開き弾性力
２１    方向
２２    矢印
２５    吸込口
２６    吹出口
２７    開口
２８    表面
２９    隙間の幅
３０    隣接方向の幅
３１    和
３２，３３    幅
３４    曲部
３５    傾斜部
３６    長さ
３７    膨出部
１０６    本体方向
【図１】
2019039641.tif 000003
【図２】
2019039641.tif 000004
【図３】
2019039641.tif 000005
【図４】
2019039641.tif 000006
【図５】
2019039641.tif 000007
【図６】
2019039641.tif 000008
【図７】
2019039641.tif 000009
【図８】
2019039641.tif 000010
【図９】
2019039641.tif 000011